(57)【要約】      （修正有）【課題】ヘルメット装着時の見栄えを向上でき、単独でも頭部にフィットして帽子として用いることができる、ヘルメットカバーを兼ねた帽子を提供する。【解決手段】この帽子１０は、クラウン部１１と、スベリ部とを有し、クラウン部１１に本体切離部Ｃ１が形成され、本体切離部の一方の端縁部には、周方向に延出されたスライド片３３が設けられ、他方の端縁部には挿入部２３が形成され、挿入部に挿入されたスライド片が、収縮可能な弾性帯状体によって、該挿入部に引き込まれるように弾性的に引っ張られており、ヘルメットなしで頭部に被せるときには、弾性帯状体の収縮力で頭部外周にフィットし、ヘルメット外周に被せるときには、本体スライド片が引き出されて拡張することによりヘルメット外周に装着でき、かつ、スベリ部がヘルメット下面を覆うようになっている。【選択図】図１
2011219901.tif 000002
【特許請求の範囲】
【請求項１】
クラウン部と、該クラウン部の下縁部に折り返し可能に設けられたスベリ部とを有し、
前記クラウン部の周縁部に複数の本体切離部が形成され、
各本体切離部の一方の端縁部には、周方向に延出されたスライド片が設けられ、他方の端縁部には、該スライド片が挿入される挿入部が形成されており、
前記各挿入部に挿入されたスライド片が、収縮可能な弾性帯状体によって、該挿入部に引き込まれるように弾性的に引っ張られており、
ヘルメットなしで頭部に被せるときには、前記弾性帯状体による収縮力により頭部外周にフィットし、
ヘルメットの外周に被せるときには、前記弾性帯状体が広がると共にスライド片が引き出されて拡張することによりヘルメット外周に装着でき、かつ、前記スベリ部がヘルメット下面を覆うことを特徴とするヘルメットカバーを兼ねた帽子。
【請求項２】
前記弾性帯状体は、ゴムベルトと、このゴムベルトに装着された細長い板状のシートとで構成されている請求項１記載のヘルメットカバーを兼ねた帽子。
【請求項３】
前記スベリ部が、収縮可能な弾性布片で構成されている請求項１又は２記載のヘルメットカバーを兼ねた帽子。
【請求項４】
前記クラウン部の下縁部に外径方向に広がる鍔部を有しており、この鍔部の前記本体切離部に対応する位置にそれぞれ鍔切離部が設けられており、各鍔切離部の一方の端縁部には、周方向に延出された鍔スライド片が設けられ、他方の端縁部には、該鍔スライド片が挿入される袋状部が設けられており、
前記各袋状部に挿入されたスライド片が、収縮可能な弾性紐体によって該袋状部に引き込まれるように弾性的に引っ張られている請求項１〜３のいずれか１つに記載のヘルメットカバーを兼ねた帽子。
【請求項５】
前記クラウン部の下縁部外周に、少なくとも前記本体切離部を渡って配設されたベルトが設けられており、該ベルトは長さ調整可能とされている請求項１〜４のいずれか１つに記載のヘルメットカバーを兼ねた帽子。
【請求項６】
前記クラウン部の本体切離部の下縁部どうしが、伸縮可能な布片によって連結されており、この布片で連結された部分の上部に、前記スライド片と前記袋状部とが設けられている請求項１〜５のいずれか１つに記載のヘルメットカバーを兼ねた帽子。
【請求項７】
前記本体切離部が、前記クラウン部の高さ方向の所定位置から下縁部に渡って形成されており、該本体切離部よりも上方は、前記ヘルメットの外周に装着可能な内径を有する伸縮しない布片で構成されており、ヘルメットなしで頭部に被せた場合には、前記本体切離部よりも上部が外径方向にたるんでハンチング帽状となり、ヘルメットの外周に被せた場合には、前記本体切離部よりも上部がヘルメット外周にフィットしてキャップ状となる請求項１〜６のいずれか１つに記載のヘルメットカバーを兼ねた帽子。
【発明の詳細な説明】
【技術分野】
【０００１】
本発明は、ヘルメットに被せて使用することができると共に、ヘルメットから外して通常の帽子としても使用することができる、ヘルメットカバーを兼ねた帽子に関する。
【背景技術】
【０００２】
以前から、頭部を衝撃などから保護するヘルメットは、様々な分野で広く用いられている。例えば、自動二輪車や原動機付自転車の運転の際には、ヘルメットの装着が義務付けられている。また、安全性の観点から、自転車に乗る際にもヘルメットを装着することが望まれている。
【０００３】
しかしながら、ヘルメットはデザイン性に乏しく、見栄えが良くないものが多いため、着用をきらう人も多い。そのため、下記特許文献１には、バイク用婦人ヘルメットの頭部よりやや大きく形成した頭部布の下縁に、幅広のドーナツ形をなす鍔布の内周縁を縫合してなるバイク用婦人ヘルメットに着用するカバーが開示されている。そして、ヘルメットに鍔付き帽子形状のカバーを被せることにより、ヘルメット外面を覆って見栄えを向上させるようにしている。
【０００４】
また、下記特許文献２には、頭に被る主体部が外皮及び内皮の二重構造とされ、外皮及び内皮の下端部が互いに接合され、該下端部の周縁に、主体部内側に介装させる保護ネットの下端周縁が帯状片を介して取付けられていると共に、内皮内側面に密着する合成樹脂で形成されたヘルメットが着脱可能に嵌合されている帽子が開示されている。この場合も、上記特許文献１と同様に、ヘルメットに帽子を被せることにより、ヘルメット外面を覆って見栄えを向上させるようになっている。
【先行技術文献】
【特許文献】
【０００５】
【特許文献１】実開昭６３−８５６２７号公報
【特許文献２】実開平４−７３９２８号公報
【発明の概要】
【発明が解決しようとする課題】
【０００６】
しかしながら、ヘルメットに帽子形状のカバーを被せて見栄えを向上させるためには、該カバー自体のデザインを良好にする必要があり、カバーであっても帽子と同様の製造コストがかかることになる。そのような高価なカバーをヘルメット専用のカバーとして使用するのは、コストパフォーマンスの点から受け入れられない可能性がある。
【０００７】
また、自転車や自動二輪車から降りた後、ヘルメットを自転車や自動二輪車につけたまま放置することもよく行われているが、そのような場合には、ヘルメットにつけたカバーが風雨に晒される可能性があり、カバーが汚れてしまうという問題があった。一方、ヘルメットからカバーを取り外して、ヘルメットだけ残すことも考えられるが、カバーを持って歩かなければならないという不都合があった。
【０００８】
したがって、本発明の目的は、ヘルメットに被せて使用することができると共に、ヘルメットから外して通常の帽子としても使用することができる、ヘルメットカバーを兼ねた帽子を提供することにある。
【課題を解決するための手段】
【０００９】
上記目的を達成するため、本発明のヘルメットカバーを兼ねた帽子は、クラウン部と、該クラウン部の下縁部に折り返し可能に設けられたスベリ部とを有し、前記クラウン部の周縁部に複数の本体切離部が形成され、各本体切離部の一方の端縁部には、周方向に延出されたスライド片が設けられ、他方の端縁部には、該スライド片が挿入される挿入部が形成されており、前記各挿入部に挿入されたスライド片が、収縮可能な弾性帯状体によって、該挿入部に引き込まれるように弾性的に引っ張られており、ヘルメットなしで頭部に被せるときには、前記弾性帯状体による収縮力により頭部外周にフィットし、ヘルメットの外周に被せるときには、前記弾性帯状体が広がると共にスライド片が引き出されて拡張することによりヘルメット外周に装着でき、かつ、前記スベリ部がヘルメット下面を覆うことを特徴とする。
【００１０】
上記発明によれば、ヘルメットなしで被った場合には、弾性帯状体の収縮力によって頭部にフィットさせて着用することができ、ヘルメットカバーとして用いる場合には、弾性帯状体を引き延ばしてヘルメットの外周に被せて使用することができる。このため、ヘルメット着用時の外観を良好にし、ヘルメット不使用時には、ヘルメットから外して通常の帽子として利用することができる。また、ヘルメットカバーとして使用する際、弾性帯状体を引き延ばして本体切離部を広げても、スライド片が本体切離部の広がった部分を覆うので、隙間が空いて外観が悪くなることを防止できる。
【００１１】
本発明のヘルメットカバーを兼ねた帽子は、前記弾性帯状体は、ゴムベルトと、このゴムベルトに装着された細長い板状のシートとで構成されていることが好ましい。この態様によれば、細長い板状のシートにより、帽子の形状を保持させる芯材としての機能をもたせると共に、ヘルメットなしで着用したときに局部的な締め付けを緩和して、着用感を良好にすることができる。
【００１２】
本発明のヘルメットカバーを兼ねた帽子は、前記スベリ部が、収縮可能な弾性布片で構成されていることが好ましい。この態様によれば、ヘルメットに被せたとき、スベリ部が収縮してヘルメットの下面にフィットして装着されるので、ヘルメットからの抜け防止効果を高めると共に、見栄えをよくすることができる。
【００１３】
本発明のヘルメットカバーを兼ねた帽子は、前記クラウン部の下縁部に外径方向に広がる鍔部を有しており、この鍔部の前記本体切離部に対応する位置にそれぞれ鍔切離部が設けられており、各鍔切離部の一方の端縁部には、周方向に延出された鍔スライド片が設けられ、他方の端縁部には、該鍔スライド片が挿入される袋状部が設けられており、前記各袋状部に挿入されたスライド片が、収縮可能な弾性紐体によって該袋状部に引き込まれるように弾性的に引っ張られていることが好ましい。この態様によれば、鍔部を有する帽子であって、しかもヘルメットカバーとしても利用できるものを提供することができ、ヘルメットカバーとして利用する際に、鍔部の切離部に空隙が形成されることを防止して、外観を良好に保つことができる。
【００１４】
本発明のヘルメットカバーを兼ねた帽子は、前記クラウン部の下縁部外周に、少なくとも前記本体切離部を渡って配設されたベルトが設けられており、該ベルトは長さ調整可能とされていることが好ましい。この態様によれば、頭部外周又はヘルメット外周に被せたとき、本体切離部の下縁部の開きをベルトで隠すことができ、見栄えを良好にすることができる。また、本体切離部の必要以上の開きをベルトによって規制することができると共に、弾性帯状体だけでなくベルトによっても締め付けることができるので、帽子をより確実に装着することができる。
【００１５】
本発明のヘルメットカバーを兼ねた帽子は、前記クラウン部の本体切離部の下縁部どうしが、伸縮可能な布片によって連結されており、この布片で連結された部分の上部に、前記スライド片と前記袋状部とが設けられていることが好ましい。この態様によれば、頭部外周又はヘルメット外周に被せたとき、本体切離部の下縁部の開きを上記布片でカバーすることができるので、見栄えを良好にすることができる。また、本体切離部の必要以上の開きを布片によって規制することができると共に、弾性帯状体だけでなく布片の収縮力によっても締め付けることができるので、帽子をより確実に装着することができる。
【００１６】
本発明のヘルメットカバーを兼ねた帽子は、前記本体切離部が、前記クラウン部の高さ方向の所定位置から下縁部に渡って形成されており、該本体切離部よりも上方は、前記ヘルメットの外周に装着可能な内径を有する伸縮しない布片で構成されており、ヘルメットなしで頭部に被せた場合には、前記本体切離部よりも上部が外径方向にたるんでハンチング帽状となり、ヘルメットの外周に被せた場合には、前記本体切離部よりも上部がヘルメット外周にフィットしてキャップ状となることが好ましい。この態様によれば、ヘルメットなしで被る場合には、ハンチング帽のような外観となるので、見栄えを良好にすることができ、ヘルメットに被せたときには、ヘルメット外周にフィットしてキャップ状となるので、風の抵抗を受けにくくすることができる。
【発明の効果】
【００１７】
本発明によれば、ヘルメットなしで被った場合には、弾性帯状体の収縮力によって頭部にフィットさせて着用することができ、ヘルメットカバーとして用いる場合には、弾性帯状体を引き延ばしてヘルメットの外周に被せて使用することができる。このため、ヘルメット着用時の外観を良好にし、ヘルメット不使用時には、ヘルメットから外して通常の帽子として利用することができる。その結果、高価な帽子であっても有効利用でき、ヘルメットを自転車や自動二輪車に残して放置する場合には、カバーを外して普通の帽子として被って行くことができる。また、ヘルメットカバーとして使用する際、弾性帯状体を引き延ばして本体切離部を広げても、スライド片が本体切離部の広がった部分を覆うので、隙間が空いて外観が悪くなることを防止できる。
【図面の簡単な説明】
【００１８】
【図１】本発明のヘルメットカバーを兼ねた帽子の一実施形態を示す斜視図である。
【図２】同帽子の分解斜視図である。
【図３】同帽子の透視斜視図である。
【図４】同帽子の要部拡大斜視図である。
【図５】同帽子をヘルメットなしで被った場合の断面説明図である。
【図６】同帽子を、ヘルメットカバーとして用いた場合の斜視図である。
【図７】図７の断面説明図である。
【図８】本発明のヘルメットカバーを兼ねた帽子の他の実施形態を示す斜視図である。
【図９】同帽子を示しており、（ａ）はヘルメットなしの状態の要部拡大斜視図、（ｂ）はヘルメットに被せてクラウン部が拡張した状態の要部拡大斜視図である。
【図１０】同帽子をヘルメットなしで被った場合の斜視図である。
【図１１】同帽子をヘルメットカバーとして用いた場合の斜視図である。
【図１２】図１１の断面説明図である。
【発明を実施するための形態】
【００１９】
以下、図１〜７を参照して、本発明に係るヘルメットカバーを兼ねた帽子の一実施形態について説明する。
【００２０】
図１〜３に示すように、この実施形態におけるヘルメットカバーを兼ねた帽子１０（以下、単に「帽子１０」という）は、頭部に被さるクラウン部１１と、該クラウン部１１の下縁部に折り返し可能に設けられたスベリ部１３と、前記クラウン部１１の下縁部から外径方向に広がる鍔部１５とを有し、全体としてハット形状をなしている。
【００２１】
前記クラウン部１１の対向する周方向２箇所に本体切離部Ｃ１，Ｃ１が形成されると共に、前記鍔部１５にも、前記本体切離部Ｃ１，Ｃ１に対応する位置にそれぞれ鍔切離部Ｃ２，Ｃ２が形成されている。
【００２２】
この実施形態における帽子１０は、上記の本体切離部Ｃ１及び鍔切離部Ｃ２により、２つに分割されており、これらの分割体の上端周縁に円板状の天井部１７が縫合されて一体化されている。なお、前記クラウン部１１は、後述する腰部材２１，３１と、前記天井部１７とから構成されている。
【００２３】
図２に示すように、帽子分割体の一方は、半円筒状の腰部材２１と、この腰部材２１の下縁部から外径方向に広がった半鍔部２５とを有している。
【００２４】
腰部材２１は、表地２１ａと、その裏側に配置された裏地２１ｂとからなり、それらの上縁部は前記天井部１７の周縁に縫着されている。腰部材２１の周方向両端部は、それぞれ開口して内部が周方向に連通した挿入部２３，２３をなしている。また、腰部材２１の表地２１ａの下縁部外周には、環状のベルト挿通部２４が複数個縫着されている。
【００２５】
一方、前記半鍔部２５も、腰部材２１と同様に、表地２５ａと、その裏側に重ね合わせて配置された裏地２５ｂとからなり、表地２５ａ、裏地２５ｂの内周縁部は、前記腰部材２１の下縁部に縫着され、周方向両端部が開口して内部が周方向に連通した袋状部２７、２７をなしている。
【００２６】
帽子分割体の他方は、表生地３１ａと裏生地３１ｂとからなる半円筒状の腰部材３１を有し、この腰部材３１の上縁部は天井部１７の周縁に縫着されている。腰部材３１の両端部は、周方向に延出された本体スライド片３３、３３をなしている。本体スライド片３３の基端部の表地３１ａと裏地３１ｂとの間には、補強板３１ｃが挟み込まれており、剛性の向上が図られている。また、腰部材３１の表側の下縁部外周には、環状のベルト挿通部３４が複数個縫着されている。
【００２７】
また、腰部材３１の下縁部には、外径方向に広がった半鍔部３５の内周が縫着されている。半鍔部３５の両端部は、周方向に延出された鍔スライド片３７，３７をなしている。腰部材３１の周方向両端の下縁部と、半鍔部３５の周方向両端の内周縁部との間には、周方向に沿って伸びる切込み３２，３２がそれぞれ形成されている。この半鍔部３５及び前記半鍔部２５により、本発明の鍔部１５が構成されている。
【００２８】
そして、図３及び図４に示すように、一方の帽子分割体の挿入部２３，２３に、他方の帽子分割体の本体スライド片３３，３３が挿入され、同様に、一方の帽子分割体の袋状部２７，２７に、他方の帽子分割体の鍔スライド片３７，３７が挿入されて、一対の帽子分割体が組み付けられている。
【００２９】
そして、一方の帽子分割体の腰部材２１の内部には、前記挿入部２３，２３を通して伸縮可能な弾性帯状体４０が挿入されており、この弾性帯状体４０の両端部に、前記本体スライド片３３，３３が連結されている。弾性帯状体４０により、本体スライド片３３，３３は、挿入部２３、２３に進入するように常時引っ張られている。
【００３０】
弾性帯状体４０は、ゴムベルト４１と、このゴムベルト４１の長さ方向途中に装着された細長い板状のシート４３とで構成されている。この実施形態では、シート４３の両端部にスリット４３ａを形成し、ゴムベルト４１がシート４３の長さ方向途中で外周に配置されるように、スリット４３ａを通して挿通させることにより、シート４３をゴムベルト４１に装着している。ただし、シート４３の両端部にそれぞれゴムベルト４１を連結して、弾性帯状体４０の一部がシート４３だけで構成されるようにしてもよい。シート４３は、例えば、厚紙やプラスチック板等の比較的剛性の高い材料からなり、クラウン部１１の内部の下方に配置され（図３，５参照）、クラウン部１１の芯材として機能する。
【００３１】
また、一方の帽子分割体の半鍔部２５の内部には、前記袋状部２７，２７を通して、伸縮可能な弾性紐体４５が挿通されており、この弾性紐体４５の両端部に、前記鍔スライド片３７，３７が連結されている。弾性紐体４５によって、鍔スライド片３７，３７は、袋状部２７，２７に進入するように常時引っ張られている。
【００３２】
また、クラウン部１１の下縁部には、スベリ部１３が取付けられている。この実施形態におけるスベリ部１３は、伸縮可能な生地からなる円環状をなし、その周縁がクラウン部１１の裏側の下縁部周縁に縫合されており、折り返し可能に配置されている。このスベリ部１３は、常時はクラウン部１１の裏側に配置され（図４参照）、帽子１０を被ったときに着用者の頭部に当接するようになっている。また、帽子１０をヘルメット１に装着させたときには、ヘルメット１の下面を覆うように当接して、帽子１０の抜け止めを図る役割をなしている（図７参照）。なお、スベリ部１３を径方向に幅広とすることにより、ヘルメット１の内面に当接するように、折り返すこともできる。
【００３３】
また、スベリ部１３は、その内周全周が縫合されておらず、未縫合部１３ａを有しており、ここからヘルメット１の耳掛け紐３，３を挿出可能となっている（図２，７参照）。なお、スベリ部１３は、ゴムや弾性ラストマー等を含んだ収縮可能な弾性布片で構成されていることが好ましい。
【００３４】
次に、上記構造からなる本発明のヘルメットカバーを兼ねた帽子の使用方法について説明する。
【００３５】
この実施形態の帽子１０は、常時は、弾性帯状体４０の収縮力により、挿入部２３，２３内に本体スライド片３３，３３が引っ張られて、クラウン部１１の内径が縮径すると共に、弾性紐体４５の収縮力により、袋状部２７，２７内に鍔スライド片３７，３７が引っ張られて、鍔部１５の内径も縮径するようになっている。
【００３６】
この状態で、ヘルメットなしで着用すると、弾性帯状体４０の収縮力により、着用者の頭部の大きさに合わせてクラウン部１１が伸縮し、図５に示すように、頭部に隙間なくフィットさせて着用することができる。
【００３７】
このとき、弾性帯状体４０は、ゴムベルト４１と、その長さ方向途中に装着された細長い板状のシート４３とで構成されているので、後者の細長板状のシート４３により、帽子１０の形状を保持させる芯材としての機能をもたせることができると共に、ヘルメットなしで着用したときの局部的な締め付けを効果的に緩和して、着用感を良好にすることができる。
【００３８】
一方、帽子１０をヘルメット１に被せる際には、収縮力に抗して弾性帯状体４０を引き伸ばして、本体スライド片３３，３３を挿入部２３，２３から所定長さ引き出し、クラウン部１１の内径を拡張させると共に、同じく収縮力に抗して弾性紐体４５を引き伸ばして、鍔スライド片３７，３７を袋状部２７，２７から所定長さ引き出し、鍔部１５を拡張させる。
【００３９】
その状態で、クラウン部１１をヘルメット１の外周に被せると共に、スベリ部１３をヘルメット下面に当接させる（図７参照）。その後、ヘルメット１の外径に対応して、クラウン部１１及び鍔部１５が、弾性帯状体４０及び弾性紐体４５の収縮力により、ヘルメット１の外周に隙間なく密接して、図６及び図７に示すように、ヘルメット１の外周に見栄え良く帽子１０を装着させることができる。
【００４０】
このとき、スベリ部１３には、未縫合部１３ａ，１３ａが設けられているので、ヘルメット１の下面から延出した紐３，３を、その未縫合部１３ａ，１３から挿出させて外径方向に引き出しておくことができ（図７参照）、ヘルメット１の紐３，３どうしをスムーズに連結させることができる。
【００４１】
また、スベリ部１３は、収縮可能な弾性布片で構成されているので、上記のように、帽子１０をヘルメット１に被せたとき、スベリ部１３が収縮してヘルメット１の下面にフィットして装着されるので、ヘルメット１から、帽子１０が抜け外れることをより確実に防止することができると共に、見栄えをよくすることができる。
【００４２】
以上のように、この帽子１０によれば、ヘルメット１なしで被った場合に、頭部にフィットさせて着用できると共に、ヘルメットカバーとして用いる場合も、ヘルメット１の外周に被せて使用できるので、ヘルメット着用時の外観を良好にし、ヘルメット不使用時には、ヘルメット１から外して通常の帽子として利用することができる。
【００４３】
その結果、例えば、自転車に乗る際に、見栄えが悪くて被りたくないという着用者のニーズ（特に年配者に、そのようなニーズが強い）に答えた、使い勝手のよい帽子を提供することができる。
【００４４】
また、ヘルメットカバーとして使用する際に、弾性帯状体４０を引き延ばして本体切離部Ｃ１，Ｃ１を広げても、本体スライド片３３，３３が、本体切離部Ｃ１，Ｃ１の広がった部分を覆うので、隙間が空いて外観が悪くなることを防止することができる。
【００４５】
このとき、鍔部１５においても、弾性紐体４５が引き延ばされて、鍔切離部Ｃ２，Ｃ２が広がるが、この場合は、袋状部２７，２７から引き出された鍔スライド片３７，３７によって、空隙が形成されることを防止することができるので、帽子１０の外観を良好に保つことができる。
【００４６】
また、この帽子１０には、クラウン部１１の下縁部外周に、本体切離部Ｃ１，Ｃ１を渡るように、長さ調整可能なベルト１８が配置されている。そのため、頭部外周又はヘルメット外周に帽子１０を被せたとき、本体切離部Ｃ１の下縁部の開きをベルト１８で隠すことができ、見栄えを良好にすることができる。また、本体切離部Ｃ１，Ｃ１の必要以上の開きをベルト１８によって規制することができると共に、前述した弾性帯状体４０だけでなくベルト１８によっても、クラウン部１１を締め付けることができるので、帽子１０をより確実に装着することができる。
【００４７】
図８〜１２には、本発明に係るヘルメットカバーを兼ねた帽子の、他の実施形態が示されている。なお、前記実施形態と実質的に同一部分には同符号を付してその説明を省略する。
【００４８】
この実施におけるヘルメットカバーを兼ねた帽子１０ａ（以下、単に「帽子１０ａ」という）は、前記実施形態とクラウン部の形状が主として異なっている。すなわち、この帽子１０ａのクラウン部１１は、二等辺三角形状をなした複数の布辺の両側辺どうしを縫合して形成されている。この実施形態の場合は、合計８枚の布片１２ａ，１２ｂ，１２ｃ，１２ｄ，１２ｅ、１２ｆ、１２ｇ、１２ｈを縫合して形成している。また、クラウン部１１の前方の下縁部から、鍔部１５が所定幅で外径方向に延出している。
【００４９】
この実施形態では、前記クラウン部１１の周方向の左右二箇所ずつ、合計４箇所に本体切離部Ｃ１が形成されている。すなわち、図８に示すように、布辺１２ｈと１２ａとの間に切離部、布辺１２ａと１２ｂとの間、布辺１２ｄと１２ｅとの間、及び布辺１２ｅと１２ｆとの間に、それぞれ本体切離部Ｃ１が形成されている。この本体切離部Ｃ１は、上記隣接する布辺の接合部を、天頂から高さ方向の途中まで縫合し、高さ方向の途中から下縁部まで未縫合とすることによって形成されている。
【００５０】
そして、図８、図９（ａ），（ｂ）に示すように、各本体切離部Ｃ１を挟む一方の布片１２ｈ、１２ａ、１２ｅ、１２ｆから、それぞれ前方にスライド片３３がそれぞれ延出されており、これらのスライド片３３は、対向する布片に形成された袋状の挿入部２３に挿入されている。
【００５１】
図８に示すように、帽子１０ａの鍔部１５両側には、所定長さで伸びる一対の弾性帯状体４０，４０がそれぞれ配置されている。一方の弾性帯状体４０は、その基端部が布片１２ａの袋状部２３に挿入されたスライド片３３に連結され、中間部が布片１２ｂの袋状部２３に挿入されたスライド片３３に連結され、先端部が布片１２ｃに連結されている。他方の弾性帯状体４０は、その基端部が布片１２ｅの袋状部２３に挿入されたスライド片３３に連結され、中間部が布片１２ｄの袋状部２３に挿入されたスライド片３３に連結され、先端部が布片１２ｃに連結されている。その結果、各スライド３３は、それらにそれぞれ連結された弾性帯状体４０により、各挿入部２３に引き込まれるように弾性的に引っ張られるようになっている。
【００５２】
また、スライド片２２及び挿入部２３の下方に位置する、本体切離部Ｃ１を挟んで配置された布片の下縁部どうしは、図９（ａ），（ｂ）に示すように、ゴムベルト等が内部に通された伸縮可能な伸縮片２６（本発明における「伸縮可能な布片」）によって連結されている。
【００５３】
なお、図示していないが、この帽子１０ａにおいても、クラウン部１１の下縁部に、前記実施形態と同様なスベリ部１３が取付けられている。
【００５４】
次に、この実施形態の帽子１０ａの使用方法について説明する。
【００５５】
この実施におけるヘルメットカバーを兼ねた帽子１０ａは、本体切離部Ｃ１が合計４箇所に設けられており、各切離部Ｃ１に設けられたスライド片３３が弾性帯状体４０によって挿入部２３に引き込まれるように引っ張られ、かつ、その下縁部が伸縮片２６によっても引き寄せられるようになっているので、ヘルメットから取り外した状態では、下縁部が縮径し、本体切離部Ｃ１よりも上方部分が外径側にたるんで、図１０に示すようなハンチング帽形状になる。そして、ヘルメットなしで着用すると、弾性帯状体４０の収縮力により、着用者の頭部の大きさに合わせてクラウン部１１が伸縮し、頭部に隙間なくフィットさせて着用することができる。
【００５６】
一方、帽子１０ａをヘルメット１の外周に被せる場合には、弾性帯状体４０，４０の収縮力に抗して、弾性帯状体４０を引き伸ばして、挿入部２３に引き込まれたスライド片３３を引き出すと共に、本体切離部Ｃ１の下縁部の伸縮片２６を伸ばすことにより、クラウン部１１の内径を拡張させて、ヘルメット１外周に被せることができる。そして、前記実施形態と同様に、図示しないスベリ部１３がヘルメット１の下面に当接して抜け止めがなされる。こうしてヘルメット１に被せると、図１１に示すように、クラウン部１１の、前記本体切離部Ｃ１よりも上部がヘルメット外周にフィットしてキャップ状となるので、風の抵抗を受けにくくすることができ、自転車等に乗るときに都合がよい。
【００５７】
また、帽子１０ａを頭部又はヘルメット外周に被せたとき、本体切離部の下縁部どうしに連結された伸縮片２６が伸縮して、その開きをカバーすることができるので、見栄えを良好にすることができる。更に、本体切離部の必要以上の開きを上記伸縮片２６によって規制することができると共に、前記弾性帯状体４０だけでなく伸縮片２６の収縮力によっても締め付けることができるので、帽子１０ａをより確実に装着することができる。
【符号の説明】
【００５８】
１  ヘルメット
３  紐
１０，１０ａ  帽子
１１  クラウン部
１２，１２ａ，１２ｂ，１２ｃ，１２ｄ  布片
１２ａ 布片
１３  スベリ部
１３ａ  未縫合部
１５  鍔部
１７  天井部
１８  ベルト
１８ａ  調節孔
２１  腰部材
２１ａ  表地
２１ｂ  裏地
２３  挿入部
２４  ベルト挿通部
２５  半鍔部
２５ａ  表地
２５ｂ  裏地
２６  伸縮片
２７  袋状部
３１  腰部材
３１ｂ  裏地
３１ｃ  補強体
３２  切込み
３３  本体スライド片
３４  ベルト挿通部
３５  半鍔部
３７  鍔スライド片
４０  弾性帯状体
４１  ゴムベルト
４３  シート
４３ａ  挿通孔
４５  弾性紐体
Ｃ１，Ｃ３，Ｃ４  本体切離部
Ｃ２  鍔切離部
【図１】
2011219901.tif 000003
【図２】
2011219901.tif 000004
【図３】
2011219901.tif 000005
【図４】
2011219901.tif 000006
【図５】
2011219901.tif 000007
【図６】
2011219901.tif 000008
【図７】
2011219901.tif 000009
【図８】
2011219901.tif 000010
【図９】
2011219901.tif 000011
【図１０】
2011219901.tif 000012
【図１１】
2011219901.tif 000013
【図１２】
2011219901.tif 000014